(57)【要約】【課題】本考案は、パネルの傾斜を特定の安全な角度の範囲に限定し、また適当な力で傾斜させて作業することができる液晶ディスプレイ台座構造を提供する。【解決手段】液晶ディスプレイ台座構造は基板、一組のフレーム板、角度調節装置、支持板及びロック装置からなり、そのフレーム板は基板上で固定され、角度調節装置はフレーム板中に設置され、また支持板はロック装置によってフレーム板と回転可能に連結している。角度調節装置は支持板を特定の傾斜角度に固定することをコントロールし、或いはある特定の角度の範囲に限定して支持板を傾けさせる。ロック装置内のチャックと角度調節装置の連接エレメントがお互いにひきつけることにより支持板の傾斜角度を調節することができる。【選択図】図２
0003097542.tif 000002
【実用新案登録請求の範囲】
【請求項１】
基板と、フレーム板と、ロック装置と、支持板と角度調節装置とからなる液晶ディスプレイ台座構造において、
前記基板は、抜き口を有することと、
前記フレーム板は、前記基板上に固定され、前記抜き口に対応する部分にノッチを有し、かつストッパーを形成し、また、一対のピボット穿孔を有するピボット・ブラケットを備え、その内の一つのピボット・ブラケットには軸孔を有すること、
ロック装置は、回転軸、ワッシャー、チャック及びナットを有し、該回転軸の片端部にはロータ部を形成し、該ロータ部からボルトが突出し、該ワッシャーが該ロータ部に被せられ、該ロータ部が前記ピボット穿孔に挿し込まれ、該チャックは前記ピボット・ブラケットの内側で該ロータ部に挿入され、該ワッシャーが挿入され、該ナットが該ボルトに螺合し、少なくとも狭溝を有する該チャックが該回転軸の動きに従って連動するように構成されることと、
前記支持板は前記回転軸に固定して連結されることと、
前記角度調節装置は、前記ストッパー及び前記軸孔上に設置され、前記抜き口において作動可能であり、前記狭溝を固定状態にするか否かを決めることと、
を特徴とする液晶ディスプレイ台座構造。
【請求項２】
前記チャックは、広溝を有し、前記角度調節装置により、該広溝によって限定された範囲内において回転可能とされることを特徴とする請求項１記載の液晶ディスプレイ台座構造。
【請求項３】
前記基板の表面部には浮き出し体が形成され、前記フレーム板は、該浮き出し体の形状に合わせた底部を有し、前記基板にはロック孔を設け、前記フレーム板には該ロック孔に対応したねじ孔を設け、留め具により前記フレーム板を前記基板上に固定することを特徴とする請求項１記載の液晶ディスプレイ台座構造。
【請求項４】
前記角度調節装置は、連接用エレメントと、軸柱と、リングと、スプリングと、留め具とを含むことと、
前記軸柱がピボット・ブラケットの軸孔を回動可能に貫通し、該軸柱の片端部にねじ孔を、もう一つの端部に溝を設け、前記スプリングが前記軸柱を覆うと共に、前記リングが前記溝にはめ込まれることと、
前記連接用エレメントは、連続して折れ曲がって成形されており、その一方の端は下に向って折れ曲がり、つめごまを形成し、もう一方の端は上に向って折れ曲がり連動部を形成し、該連動部には通孔を設け、頂上縁部には凸状の凸部を有することと
前記連接用エレメント中間の平面部分には貫通孔が設けられ、前記ストッパーがこの貫通孔を貫通し、これにより前記連動部が前記ピボット・ブラケットの内側面に貼り付けられると共に、前記つめごまが前記ストッパーにチャックされ、且つ前記抜き口まで延びることと、
前記凸部は前記チャックの移動位置により前記狭溝内にはめこまれ、且つ前記連動部の通孔は前記ピボット・ブラケットの軸孔に合わせ、前記留め具は前記連動部の通孔及び前記ピボット・ブラケットの軸孔を貫き通り、ねじ孔で固定することにより、前記連接用エレメントと前記軸柱の動きが連動するように構成されることを特徴とする請求項１記載の液晶ディスプレイ台座構造。
【請求項５】
前記チャックは、広溝を有し、前記凸部が該広溝にはめ込まれた場合、該広溝によって限定された範囲内において回転可能とすることを特徴とする請求項４記載の液晶ディスプレイ台座構造。
【請求項６】
前記回転軸は、外端部に扁平な板部を形成すると共に２つのロック孔を設け、前記支持板の底部両端には下向けの縁出板を形成し、該縁出板上にも二つのねじ孔を設け、前記縁出板が前記扁平な板部に取り付けられた際に、前記縁出板上のねじ孔が扁平な板部上のロック孔に合わせられ、留め具で固定し、これにより前記支持板を該縁出板に固定することを特徴とする請求項１又は請求項４記載の液晶ディスプレイ台座構造。
【考案の詳細な説明】
【０００１】
【考案の属する分野】
本考案は一種の液晶ディスプレイ台座構造に関し、特に支持板とフレーム板との回転連結部分に角度調節装置が備えられ、支持板を特定の傾斜角度にコントロールし、又は支持板の作動を限定して特定の角度の範囲で傾斜動作をさせるのに用いる液晶ディスプレイ台座構造に関する。
【０００２】
【従来の技術】
すでに知られている液晶ディスプレイの多くにはパネルを支持するための台座があり、パネルと台座間の連結方法としては固定式と調節式がある。固定式はその名の通り、パネルが常に垂直常態に保たれるもので、角度調節機能はない。しかし調節式はパネルと台座とが回転可能に連結し、使用者が自らパネルの角度を調節することを可能とするものである。
【０００３】
調節式の回転連結方法には、いくつもの構造設計がある（たとえばギア式やステム式など）。ところがつめギア式を採用した構造の設計は、これに使用するふさわしい関連部品が多いだけではなく、ギアのピッチがすでに固定されており、よってパネルの角度調節過程において微調整ができない。
【０００４】
ステム式は軸スリーブとステムがしっかりとかぶさりあってつながっている方式で、使用者がパネルの角度を調節することを可能としている。しかしパネルが傾斜していないとき、軸スリーブとステムの瞬間静止摩擦力は運動摩擦力よりも大きくなり、よってパネルが最初の静止状態から動き始めたとき、比較的大きな力が消費される。また、静止摩擦力が運動摩擦力に打ち勝った時、つまり運動摩擦力が静止摩擦力より大きくなったとき、最初の施行力は膨大であるが、パネルが動き始めた後も減退せず、さらにこの一連の瞬間動作後、パネルが過度に傾斜しすぎるという現象が生じる。すなわちパネルが急激に作動し、よって構造上の損害あるいは内部の部品に問題が発生するという可能性が生じる。
【０００５】
【考案が解決しようとする課題】
よって本考案は、パネルの傾斜が特定の安全な傾斜角度の範囲に限定され、また適当な力で傾斜させて作業することができる液晶ディスプレイ台座構造を提供するものである。
【０００６】
本考案は液晶ディスプレイ台座構造において、安全な角度調節範囲を提供し、これによりディスプレイパネルの傾斜角度を調節するとき、その範囲内で作動させることを主な目的とする。
【０００７】
本考案の他の目的は、特定角度の固定位置を設け、ディスプレイパネルをその特定角度に調整すると、設定された固定状態となり、再度の角度を不要とする機能を提供することである。
【０００８】
本考案のもう１つの目的はディスプレイパネルを特定角度に傾け、平らに置かれた状態とすると、台座とディスプレイパネル間が平行の空間状態となり、ディスプレイパネルを壁掛式として使用した時、基板を壁面に固定しやすく、又は生産出荷する際、包装用空間を少なく済ませるための機能を提供することである。
【０００９】
【課題を解決するための手段】
上記の目的を達成するための具体的手段として本発明は、基板と、フレーム板と、ロック装置と、支持板と角度調節装置とからなる液晶ディスプレイ台座構造において、前記基板は、抜き口を有することと、記フレーム板は、基板上に固定され、抜き口に対応する部分にノッチを有し、かつストッパーを形成し、また、一対のピボット穿孔を有するピボット・ブラケットを備え、その内の一つのピボット・ブラケットには軸孔を有すること、ロック装置は、回転軸、ワッシャー、チャック及びナットを有し、回転軸の片端部にはロータ部を形成し、ロータ部からボルトが突出し、ワッシャーがロータ部に被せられ、ロータ部がピボット穿孔に挿し込まれ、チャックはピボット・ブラケットの内側でロータ部に挿入され、ワッシャーが挿入され、ナットがボルトに螺合し、少なくとも狭溝を有するチャックが回転軸の動きに従って連動するように構成されることと、支持板は回転軸に固定して連結されることと、角度調節装置は、ストッパー及び軸孔上に設置され、抜き口において作動可能であり、狭溝を固定状態にするか否かを決めることと、
を要旨とする液晶ディスプレイ台座構造を提供する。
【００１０】
そしてこの液晶ディスプレイ台座構造は、チャックが広溝を有し、角度調節装置により広溝によって限定された範囲内において回転可能とされること、基板の表面部には浮き出し体が形成され、フレーム板は、浮き出し体の形状に合わせた底部を有し、基板にはロック孔を設け、フレーム板にはロック孔に対応したねじ孔を設け、留め具によりフレーム板を基板上に固定すること、角度調節装置が、連接用エレメントと、軸柱と、リングと、スプリングと、留め具とを含むことと、軸柱がピボット・ブラケットの軸孔を回動可能に貫通し、軸柱の片端部にねじ孔を、もう一つの端部に溝を設け、スプリングが軸柱を覆うと共に、リングが溝にはめ込まれることと、連接用エレメントが連続して折れ曲がって成形されており、その一方の端は下に向って折れ曲がり、つめごまを形成し、もう一方の端は上に向って折れ曲がり連動部を形成し、連動部には通孔を設け、頂上縁部には凸状の凸部を有することと、連接用エレメント中間の平面部分には貫通孔が設けられ、ストッパーがこの貫通孔を貫通し、これにより連動部がピボット・ブラケットの内側面に密着すると共に、つめごまがストッパーにチャックされ、且つ前記抜き口まで延びることと、凸部がチャックの移動位置により狭溝内にはめこまれ、且つ連動部の通孔はピボット・ブラケットの軸孔に合わせ、留め具は連動部の通孔及びピボット・ブラケットの軸孔を貫き通り、ねじ孔で固定することにより、連接用エレメントと軸柱の動きが連動するように構成されること、チャックは、広溝を有し、凸部が広溝にはめ込まれた場合、広溝によって限定された範囲内において回転可能とすること、回転軸は、外端部に扁平な板部を形成すると共に２つのロック孔を設け、支持板の底部両端には下向けの縁出板を形成し、縁出板上にも二つのねじ孔を設け、縁出板が扁平な板部に取り付けられた際に、縁出板上のねじ孔が扁平な板部上のロック孔に合わせられ、留め具で固定し、これにより支持板を縁出板に固定すること、を付加的な要件とする。
【００１１】
【考案の実施の形態】
本考案の更に一歩進んだ理解のために、以下に比較的よい実施例をあげ、図面を参照して、本考案の構成内容及びその達成した効果を詳しく説明する。
【００１２】
図１は、本考案の液晶ディスプレイ台座構造で、液晶ディスプレイパネル６に固定され、且つパネルを支えている状態を示している。
【００１３】
図２は、本考案を構成する部品を示しており、本考案に係る液晶ディスプレイ台座構造は、基板１、フレーム板２、ロック装置３、支持板４及び角度調節装置５からなる。基板１はほぼ扇形をしており、板の表面は交差する浮き出し体１１を形成し、これは該形状に合わせた裏部のあるフレーム板２がその上にかぶさるためになるものである。また、基板１の中心位置近くに抜き口１２を設け、さらに板体上に多数のロック孔１３を設けている。
【００１４】
フレーム板２は基板１の表面に設計された形状により、対をなして、又は一体に連結して設置されており、各フレーム板の単体は、ほぼＬ字形をしている。またその上に上方に向って伸びるピボット・ブラケット２１を有し、該ピボット・ブラケット２１にはピボット穿孔２１１を設け、さらに該ピボット・ブラケット２１の頂上縁部にはガイド・ウェイ２１２を形成する。また、ピボット・ブラケット２１の片方の下側にはもう一つの軸孔２２を開け、さらに軸孔２２のあるピボット・ブラケット２１内側の近くのフレーム板２には凹み形をしたノッチ２３を形成し、該ノッチ２３の内端部には突き出て伸びたストッパー２３１を形成する。その他、フレーム板２には多数のねじ孔２４を設け、フレーム板２が基板１上にかぶるとき、フレーム板２上の多数のねじ孔２４が基板１の多数のロック孔１３とぴったり対応し、ボルトなどのような留め具１４によって下からロック孔１３とねじ孔２４を通過してロックする。フレーム板２が基板１上で固定されると同時に、そのノッチ２３も抜き口１２と対応し、ノッチ２３から伸びたストッパー２３１が抜き口１２の上方に位置する。
【００１５】
ロック装置３は、２つの回転軸３１、２つのチャック３２、多数のワッシャー３３、及び２つのナット３４から構成される。その中で比較的特殊と言えるのは、回転軸３１の内端部からは、ロータ部３１１が突出し、該ロータ部３１１には２枚の平らな面が形成されており、かつ２枚の平らな面の間は弧状となっている点である。該ロータ部３１１の内端部からは更にボルト３１２が突出し、チャック３２、ワッシャー３３を入れてからナット３４と固定する。一方、回転軸３１の外端部は一枚の扁平な板部３１３を形成しており、該扁平な板部３１３上には２つのロック孔３１４を設けている。チャック３２の縁部適当な部分には外側に向って折れ曲がってブロック３２１を形成し、また一つのチャック３２の縁部は、ブロック３２１に相対する部分に広溝３２２及び狭溝３２３を設け、広溝３２２は適当な夾角を形成する。
【００１６】
支持板４は側断面から見ると「く」の字型をしており、液晶ディスプレイ板６の設置に用いるため上段部は平らな板状とし、下段部の両端には下に向って伸びる縁出板４１を形成し、その縁出板４１には２つのねじ孔４１１を設けている。
【００１７】
支持板４がフレーム板２のピボット・ブラケット２１に回転可能に連結される場合、回転軸３１のボルト３１２が外側から内側に向ってピボット・ブラケット２１のピボット穿孔２１１を通り、さらにチャック３２のセット孔３２４、多数のワッシャー３３が貫き通り、ナット３４によりボルト３１２の外端部に固定される。このとき、支持板４の縁出板４１は回転軸３１の扁平な板部３１３に張り付けられ、同時に縁出板のねじ孔４１１は扁平な板部３１３のロック孔３１４に対応され、最後にボルトなどの留め具４１２のようなものが扁平な板部のロック孔３１４と縁出板４１のねじ孔４１１を通過して、ロック装置３を支持板４の縁出板４１部分にしっかりと固定させる。特に注意しなければならないのは、このときチャック３２はピボット・ブラケット２１の内側面に密着しており、チャック３２の中心にあるセット孔３２４の形状が回転軸３１のロータ部３１１の形状とぴったりと合うことであり、チャック３２がロータ部３１１にはめ込まれた後は回すことはできず、支持板４の傾斜動作によって、チャック３２も一緒に回されることになる。しかしチャック３２が取り付けられた後、そのブロック３２１はピボット・ブラケット２１のガイド・ウェイ２１２内にはまり込み、よってチャック３２は支持板４の傾斜によって動かされたとき、ブロック３２１はガイド・ウエイ２１２の形成する円周角内にしか動かず、これによってチャック３２の回転は一部の範囲内のみに限定される。
【００１８】
角度調節装置５は連接エレメント５１、軸柱５２、リング５３、スプリング５４及び留め具５５から構成されている。連接エレメント５１は連続して折れ曲がって成形されており、その一方の端は下に向って折れ曲がり、つめごま５１１を形成する。もう一方の端は上に向って折れ曲がり連動部５１２を形成する。連動部５１２には通孔５１３を設け、頂上縁部には凸状の凸部５１４を有する。このほか、中間の平面部分にはフレーム板２のノッチ２３部分のストッパー２３１を通すための四角形の貫通孔５１５を設け、これによって連接エレメント５１がノッチ２３に取り付けられ、ストッパー２３１には連接エレメント５１の位置が変わるのを阻止するという機能が働く。図３及び図４に示すように、このとき、連接エレメント５１の端部にある連動部５１２がピボット・ブラケット２１の内側に貼り付けられ、折れ曲がったつめごま５１１はストッパー２３１の部分で抑えられ、且つ抜き口１２の外まで突き伸び、使用者が抜き口１２の外でつめごま５１１を動かすことができるように設置されている。一方連動部５１２の頂上縁部の凸部５１４はチャック３２の回転位置により、狭溝３２３又は広溝３２２内に入ることができる。連動部５１２の通孔５１３はピボット・ブラケット２１の下側の軸孔２２に対応しているため、軸柱５２は、ねじ孔５２１のある内端部がピボット・ブラケット２１の軸孔２２内にさし込まれ、そのとき軸柱５２は軸孔２２の中において動ける状態となっているが、その後ボルトなどのような留め具５５が連接エレメント５１の連動部５１２の通孔５１３から通過し、軸柱５２内端部のねじ孔５２１内に螺合することによって、連接エレメント５１と軸柱５２は作動時に連動する状態となる。
【００１９】
図５及び図６に示すように、スプリング５４は軸柱５２の外端部から軸上にはめられ、この外端部には溝５２２が設けられているため、スプリング５４を軸柱５２にはめた後、薄片状のリング５３を溝５２２に固定し、これによってスプリング５４が固定される。
【００２０】
図７に示すように、つめごま５１１が動いていないとき（図中の矢印が示す方向）、スプリング５４の張力作用によって、強制的に連接エレメント５１がストッパー２３１、フレーム板２及びピボット・ブラケット２１のところで食い止められ、このとき、凸部５１４はチャック３２の回転角度によって広溝３２２或いは狭溝３２３内にはめ込まれている状態になる。たとえば第９図に示すように、液晶ディスプレイパネル６が傾斜して平らな状態となったとき、チャック３２も連動して回転し、凸部５１４は狭溝３２３内にはめ込まれる。狭溝３２３のサイズが凸部５１４のサイズとほぼぴったりと一致するため、凸部５１４が狭溝３２３内に入った後、チャック３２は再び動くことはできず、従ってディスプレイ板６も再度傾斜動作をすることができなくなる。
【００２１】
図８に示すように、つめごま５１１が外部の力によって動かされたとき（図内の矢印が示す方向）、連接エレメント５１は留め具５５によって軸柱５２と固定され、連動して作動するようになる。つまり連接エレメント５１が外部の力で位置を移動しようとするとき、まずスプリング５４が圧縮されてから、連接エレメント５１がスムーズに移動することができるようになり、同時に凸部５１４も狭溝３２３或いは広溝３２２から離れる。図９に示すように、このとき使用者は液晶ディスプレイパネル６を傾斜させることで、チャック３２を回すことができる。注意しなければならないことは、凸部５１４が狭溝３２３或いは広溝３２２を離れ、かつチャック３２もわずかに回った後、つめごま５１１に加えていた外部の力をすぐに解除することができる点である。このときチャック３２は依然として液晶ディスプレイパネル６の傾斜によって連動的に回っており、しかしながら連接エレメント５１の連動部５１２にはスプリング５４の張力作用が働き、適当な角度になるまでずっとチャック３２の内側に張り付いている。たとえば広溝３２２或いは狭溝３２３はすでに凸部５１４がはめられる位置まで回した時、連接エレメント５１はスプリング５４の張力作用を絶え間なく受けているので、さらに位置を移動し、これによって強制的に凸部５１４は広溝３２２或いは狭溝３２３内にはめ込まれることになる。図１０に示すように、このとき連接エレメント５１は再び最初の状態、つまりストッパー２３１、フレーム板２及びピボット・ブラケット２１のところで食い止められる状態にもとる。
【００２２】
当然、外部の力が解除されていない状態でも、液晶ディスプレイパネル６の角度を調節することもできる。ただし、この場合、ディスプレイ板６の傾斜により連動して発生した回転運動が、広溝３２２或いは狭溝３２３が凸部５１４にはめ込まれる位置まで回されたかどうか、つまりつめごま５１１上の外部の力を放出できる状態となったかどうか、視線でチャック５１をチェックする必要がある。
【００２３】
このほか、凸部５１４が広溝３２２内にはめ込まれたとき、広溝３２２は一部口を開いた円弧状に設計されているので、凸部５１４は広溝３２２内で局部的にすべるように移動し、つまり広溝３２２の構造設計により、液晶ディスプレイパネル６はある安全角度の範囲内で自由に傾斜角度を調節できる。
【００２４】
図１１に示すように、液晶ディスプレイパネル６がすでに平らな状態に傾斜されたとき、基板１には他の多数のロック孔１３を設けてあるので、固定用のエレメント、たとえばボルトやくぎなどのようなもので基板１を壁面に固定し、ディスプレイ板６を壁掛け用として使用することもできる。
【００２５】
以上のことから、本考案の液晶ディスプレイ台座構造は、慣用されてきた欠点を完全に除去し、確実にその効果は大きい。
【００２６】
なお、上記では本考案の比較的よい具体的な実施例及について説明したが、本考案の構想に基づく変更は、その生じた機能作用が明細書及び図面に含まれる主旨を超えない場合、すべて本考案の範囲内に含まれる。
【００２７】
【考案の効果】
以上説明したように、本考案によれば、支持板の傾斜がロック装置及び角度調整機構によって制限されるため、支持板に固定される液晶ディスプレイパネルの傾斜が特定の安全な角度の範囲に限定され、使用者が力を加えることにより液晶ディスプレイパネルを適度に傾斜させて作業することができる。
【００２８】
また、ロック装置を構成するチャックに広溝を設けることにより、支持板の傾斜が特定の角度に固定されるため、再度の角度調整が不要となる。
【００２９】
更に、液晶ディスプレイパネルを特定角度に傾け、平らに置かれた状態とすると、基板に多数のロック孔を設けたため、ボルトやくぎ等をロック孔に貫通させて壁面に固定すれば、液晶ディスプレイパネルを壁掛け用として使用することもできる。
【図面の簡単な説明】
【図１】本考案の使用状態を示す斜視図である。
【図２】台座構造の分解斜視図である。
【図３】使用状態を示す分解斜視図である。
【図４】図３の要部を示す拡大図である。
【図５】図３を逆方向から見た使用状態を示す斜視図である。
【図６】図４を逆方向から見た使用状態を示す斜視図である。
【図７】連接エレメントの動作を示す断面図である。
【図８】連接エレメントの動作を示す断面図である。
【図９】連接エレメントの動作を示す断面図である。
【図１０】連接エレメントの動作を示す断面図である。
【図１１】ディスプレイ板を平らに置いた状態を示す斜視図である。
【符号の説明】
１　　　基板
１１　　浮き出し体
１２　　抜き口
１３　　ロック孔
１４　　留め具
２　　　フレーム板
２１　　ピボット・ブラケット
２１１　ピボット穿孔
２１２　ガイド・ウェイ
２２　　軸孔
２３　　ノッチ
２３１　ストッパー
２４　　ねじ孔
３　　　ロック装置
３１　　回転軸
３１１　ロータ部
３１２　ボルト
３１３　扁平な板部
３１４　ロック孔
３２　　チャック
３２１　ブロック
３２２　広溝
３２３　狭溝
３２４　セット孔
３３　　ワッシャー
３４　　ナット
４　　　支持板
４１　　縁出板
４１１　ねじ孔
５　　　角度調節装置
５１　　連接エレメント
５１１　つめごま
５１２　連動部
５１３　通孔
５１４　凸部
５１５　貫通孔
５２　　軸柱
５２１　ねじ孔
５２２　溝
５３　　リング
５４　　スプリング
６　　　ディスプレイパネル
【図１】
0003097542.tif 000003
【図２】
0003097542.tif 000004
【図３】
0003097542.tif 000005
【図４】
0003097542.tif 000006
【図５】
0003097542.tif 000007
【図６】
0003097542.tif 000008
【図７】
0003097542.tif 000009
【図８】
0003097542.tif 000010
【図９】
0003097542.tif 000011
【図１０】
0003097542.tif 000012
【図１１】
0003097542.tif 000013